(57)【要約】【課題】  信号多重反射による誤動作や送受信デバイスの破損を防止し、高速伝送及び機器の小型化を実現させるプリント配線板の提供。【解決手段】  複数の内層にストリップラインが設けられていると共に、当該ストリップラインの少なくとも一部に該ストリップラインの配線幅と略同一の横幅を有する抵抗器が設けられているプリント配線板；複数の内層にストリップラインが設けられていると共に、当該ストリップラインの少なくとも一部がスルーホールを介して他層の抵抗器に接続され、かつ当該抵抗器が配線を介してデバイスに接続されて、同じ層の隣り合う配線には接続されていないプリント配線板。【選択図】  図１
2007035799.tif 000002
【特許請求の範囲】
【請求項１】
複数の内層にストリップラインが設けられていると共に、当該ストリップラインの少なくとも一部に該ストリップラインの配線幅と略同一幅を有する抵抗器が設けられていることを特徴とするプリント配線板。
【請求項２】
前記抵抗器が、ストリップラインと一体的に形成されていることを特徴とする請求項１記載のプリント配線板。
【請求項３】
前記抵抗器が、金属薄膜抵抗器であることを特徴とする請求項１又は２記載のプリント配線板。
【請求項４】
前記抵抗器が、有機樹脂製厚膜抵抗器であることを特徴とする請求項１又は２記載のプリント配線板。
【請求項５】
前記有機樹脂製厚膜抵抗器が、ポリマーペースト印刷抵抗器であることを特徴とする請求項４記載のプリント配線板。
【請求項６】
前記抵抗器が、無機材料製厚膜抵抗器であることを特徴とする請求項１又は２記載のプリント配線板。
【請求項７】
前記無機材料製厚膜抵抗器が、セラミック系厚膜抵抗器であることを特徴とする請求項６記載のプリント配線板。
【請求項８】
前記抵抗器が、チップ抵抗器であることを特徴とする請求項１又は２記載のプリント配線板。
【請求項９】
複数の内層にストリップラインが設けられていると共に、当該ストリップラインの少なくとも一部がスルーホールを介して他層の抵抗器に接続され、かつ当該抵抗器が配線を介してデバイスに接続されて、同じ層の隣り合う配線には接続されていないことを特徴とするプリント配線板。
【請求項１０】
抵抗器の幅が、ストリップラインの幅及び／又は配線の幅と略同一であることを特徴とする請求項９記載のプリント配線板。
【請求項１１】
前記抵抗器が、チップ抵抗器であることを特徴とする請求項９又は１０記載のプリント配線板。
【発明の詳細な説明】
【技術分野】
【０００１】
本発明は抵抗器を内蔵したプリント配線板、特に、信号多重反射による誤動作や送受信デバイスの破損を防止し、高速伝送及び器機の小型化を実現させるためのプリント配線板に関する。
【背景技術】
【０００２】
このようなプリント配線板に関する従来例としては、下記の特許文献１〜３などが知られている。即ち、特許文献１には、高周波プリント配線板及びその製造方法に関するものであって、同軸ケーブルや高周波コネクタを用いることなく複数のプリント配線板間を伝送する信号の反射や損失を低減できるようにした技術が開示されている。
【０００３】
また、特許文献２には、配線用補助パッケージ及び該パッケージを備えたプリント配線板構造に関するものであって、内部回路配線に対しインピーダンス整合を取り高速信号伝送ができると共に、高密度配線も可能にした技術が開示されている。
更に、特許文献３には、プリント配線板及びその製造方法に関するものであって、機械的強度の低下を招くことなく補強材なしで単一の低誘電率樹脂の厚膜積層構造を実現するようにした技術が開示されている。
【０００４】
しかしながら、斯かる従来の何れの技術によっても、信号多重反射による誤作動や送受信デバイスの破損を防止し、高速伝送及び機器の小型化を実現させることは困難であり、未だ十分満足できるものではなかったのが実状であった。
【０００５】
一方、図６は従来の一般的なプリント配線板の要部概略平面説明図である。この図において、１００は信号送出部であり、２００は信号受信部である。また、ストリップライン３０１〜３０３はチップ抵抗器４０１〜４０３及び図示しないスルーホールを介してそれぞれ配線３０１’〜３０３’に接続されている。
【０００６】
このような構成からなる従来例においては、プリント配線板内層のストリップライン３０１〜３０３や配線３０１’〜３０３’からなる伝送線路にダンピング処理を目的としてチップ抵抗器４０１〜４０３が図示しないスルーホールを介して表層のチップ部品へ引き回し接続挿入されることがある。このため、スルーホールを含む表層への引き回し配線や線路を太らせるように形成したランド部分やチップ部品をロウ付けした半田接続部において、伝送線路としての不連続な部位が発生してしまう結果、ランダムな信号の反射や減衰が発生し易く、高速伝送では問題となっていた。
【０００７】
また、プリント配線板内層でストリップラインなどの伝送線路を実現した製品においては、終端処理を行なうための抵抗器を接続することが知られている。これは、器機の誤動作を防止するために線路の入出力端へ接続するデバイスの入出力インピーダンスを整合して有害な信号反射を防止するために行なわれるものである。
【０００８】
これらの抵抗器は、伝送線路の端部や途中に予め部品をチップ接続するためのランドを形成しておき、該ランド部分へチップ部品をロウ付け処理として半田を介し実装して用いられる。
【０００９】
また、一般に抵抗器等の電子部品は、プリント配線板の表層にしか配置することができない。しかし、ストリップラインの伝送線路は複数の多層プリント配線板の内層に形成されるため、これらの抵抗器を接続する為に必ずスルーホールを介して表層へ配線引き出しを行ない端部にランドを設けて設置する必要がある。
【００１０】
上述のような高速伝送路では、複数の同期した信号をバスラインとして取り扱うことが一般的であるが、終端処理やダンピング目的の抵抗器はスルーホールを介して配線されランド上に半田などを用いて接続することが一般的であり、無駄な配線による信号のタイミング不整合、或いは、スルーホールや部品を実装したランド部分での信号の反射や減衰が発生し易く、シグナルインテグリティーの観点から問題となっていた。
【００１１】
また、昨今の高密度化した電子機器に用いられるプリント配線板では、伝送される信号量が増大しており、バス幅増加による伝送線路の過密配置や高周波化による電気的特性による影響が増大していた。このため、機器の誤動作や物理的な寸法の増大により機器全体が小型化できなかったり、仮に小型化できたとしても上述の抵抗器が配置できないという問題もあった。
【００１２】
更に、プリント配線板で高速伝送路を実現した製品において、伝送信号の終端処理を行なうための終端抵抗器の挿入や多重反射を防止する為にダンピング処理を目的として抵抗器を配線の途中に挿入する必要があった。このため、ギガ帯などの高速伝送路においては、その抵抗器を実装する為のランドや接合に用いる導電性物質はんだの形状が配線との間で不連続となってしまうため、そこでの特性インピーダンスの不整合等による伝送信号の反射や減衰が発生するという問題もあった。
【特許文献１】特開２００１−１３５８９９号公報
【特許文献２】特開２００３−３０９１２１号公報
【特許文献３】特開２００１−１１９１１１号公報
【発明の開示】
【発明が解決しようとする課題】
【００１３】
本発明は上述のような問題などに鑑みてなされたものであり、その課題は、プリント配線板上に形成した高速信号を伝送するストリップラインにおいて、信号多重反射による誤動作や送受信デバイスの破損を防止する為の終端抵抗器やダンピング抵抗器を配線板内に内蔵し、高速伝送及び機器の小型化を実現させるようなプリント配線板を提供することにある。
【課題を解決するための手段】
【００１４】
上記課題を解決すべく請求項１に係る本発明は、プリント配線板において、複数の内層にストリップラインを設けると共に、当該ストリップラインの少なくとも一部に該ストリップラインの配線幅と略同一幅を有する抵抗器を設けたことを特徴とするものである。これにより、信号多重反射による誤動作や送受信デバイスの破損を防止する為の終端抵抗器やダンピング抵抗器を配線板内に内蔵し、機器の小型化と高速伝送を実現させることができる。
【００１５】
また、請求項２に係る本発明は、前記抵抗器がストリップラインと一体的に形成されていることを特徴とする。
また、請求項３に係る本発明は、前記抵抗器が金属薄膜抵抗器であることを特徴とする。
また、請求項４に係る本発明は、前記抵抗器が有機樹脂製厚膜抵抗器であることを特徴とする。
【００１６】
また、請求項５に係る本発明は、前記有機樹脂製厚膜抵抗器がポリマーペースト印刷抵抗器であることを特徴とする。
また、請求項６に係る本発明は、前記抵抗器が無機材料製厚膜抵抗器であることを特徴とする。
また、請求項７に係る本発明は、前記無機材料製厚膜抵抗器がセラミック系厚膜抵抗器であることを特徴とする。
また、請求項８に係る本発明は、前記抵抗器がチップ抵抗器であることを特徴とする。
【００１７】
一方、上記課題を解決すべく請求項９に係る本発明は、複数の内層にストリップラインを設けると共に、当該ストリップラインの少なくとも一部をスルーホールを介して他層の抵抗器に接続させ、かつ当該抵抗器を配線を介してデバイスに接続せしめ、同じ層の隣り合う配線には接続させないことを特徴とするものである。
また、請求項１０に係る発明は、前記抵抗器の幅をストリップラインの幅及び／又は配線の幅と略同一にしたことを特徴とする。
また、請求項１１に係る本発明は、前記抵抗器がチップ抵抗器であることを特徴とする。
【発明の効果】
【００１８】
本発明によれば、抵抗器がストリップラインと略同一の幅となっているため、ストリップライン上で部分的な特性インピーダンスの不整合による信号反射や減衰の影響を受けず、理想的な信号処理が可能となる。
【００１９】
また、本発明によれば、多層プリント配線板の複数の内層へ抵抗器を配置する事が可能であるため、当該抵抗器を接続するために必須であったスルーホールや配線引き回しが不要となり、配線不連続や等長配線ルールが崩れない。従って、信号の反射や減衰が生じない上、等長配線の原則が貫かれ、信号のタイミング不整合による信号の信頼性低下なども生じない。
【００２０】
更に、本発明において、複数の内層に設けられたストリップラインの一部に抵抗器を設け、かつ当該抵抗器と他層のストリップラインをスルーホールを介して接続させた場合には、抵抗器の配置の自由度が増大するという利点がある。
【発明を実施するための最良の形態】
【００２１】
以下、本発明の最良の実施の形態について図を用いて説明する。なお、本発明は以下に詳述する実施の形態により何ら制限されるものではなく、本発明の範囲内で種々の変更が可能である。
【００２２】
図１は本発明の実施の形態を示す要部概略平面説明図であり、図中、１００は信号送出部；２００は信号受信部；３１１〜３１３、３１１’〜３１３’はストリップライン；５０１〜５０３は抵抗器である。ここに、抵抗器５０１〜５０３としては、例えば金属箔膜抵抗器、ポリマーペースト印刷抵抗器等の有機樹脂製厚膜抵抗器、セラミック系厚膜抵抗器等の無機材料製厚膜抵抗器が好適に用いられる。また、抵抗器５０１〜５０３は、ストリップライン３１１〜３１３、３１１’〜３１３’と一体的に形成し、例えば形成抵抗を構成するのが好ましい。
【００２３】
図２は図１のＡ−Ａ’断面説明図であり、図中、図１と同一記号は同一意味を持たせて使用したので、ここでの重複説明は省略する。
【００２４】
図２中、５００、５１０はソルダーレジスト；６００、６１０は例えば６０μｍの厚さに積層されたガラスエポキシ樹脂などからなる第１絶縁層；３２１〜３２３はストリップライン；８００、８１０は例えば６０μｍの厚さに積層されたガラスエポキシ樹脂などからなる第２絶縁層；９００、９０１、９０２は電源層（又はグラウンド層）；１０００は例えば４００μｍの厚さに積層されたガラスエポキシ樹脂などでなるコア基材である。なお、Ｌ１〜Ｌ６は多層プリント配線板の各層を示している。
【００２５】
この実施の形態において、図１の抵抗器５０１〜５０３の各線幅は、ストリップライン３１１〜３１３、３１１’〜３１３’の各ライン幅とそれぞれ大よそ等しくなっている。
【００２６】
なお、抵抗器５０１〜５０３としては上述のように金属薄膜抵抗器や有機樹脂製厚膜抵抗器等が用いられるが、ストリップラインのダンピング及び信号終端目的であるため、１００Ω以下の低抵抗のものが好ましい。また、温度特性が良好であることが要求される場合には、特に金属箔膜抵抗器が好適に用いられる。
【００２７】
また、ストリップラインの幅は、通常０．０５mmから０．２０mm程度とするのが好ましい。また、信号のクロストークを防止するために、配線のスペースはストリップラインの２〜３倍、具体的には０．２０〜０．４０mm程度に設定するのが好ましい。
【００２８】
このデザインルールを維持してストリップラインの一部を例えば金属薄膜を用いた抵抗体として形成し配置できる。これにより、伝送特性を阻害するスルーホールやビアランド及び部品配置上必要となる無駄な配線引き回しを一切行なわず、理想的な信号伝送形態が取れるようになる。
【００２９】
一方、図３は本発明の他の実施の形態を示す要部概略平面説明図であり、図中、図１と同一記号は同一意味を持たせて使用したのでここでの重複説明は省略する。
図３中、３３１〜３３３はストリップライン；３３１’〜３３３’は配線；４１１は例えばチップ抵抗器からなる抵抗器である。
【００３０】
図４は図３のＢ−Ｂ’断面説明図であり、図５は図３のＣ−Ｃ’断面説明図である。これらの図において、図１〜図３と同一記号は同一意味を持たせて使用したので、ここでの重複説明は省略する。
図４及び図５中、４１２は例えばチップ抵抗器からなる抵抗器；１１１０、１１２０、１１０２、１１１２、１１２２は導通性のスルーホールである。
【００３１】
この実施の形態においては、スルーホール１１０２、１１１２を介してストリップライン３３１や配線３３１’が抵抗器４１２に電気的に接続されていると共に、スルーホール１１１０、１１２０を介してストリップライン３３２と配線３３２’が抵抗器４１１に電気的に接続されている。
【００３２】
すなわち、この実施の形態は、図１及び図２に示した実施の形態とは異なり、複数の内層に設けられたストリップラインの一部（例えば３３２）にスルーホール（例えば１１１０）を介して接続される抵抗器（例えば４１１）が、配線３３２’を介して例えば信号装置部（１００）に接続され、同じ層の隣り合う配線には接続されていない構成になっている。
【００３３】
このため、図１及び図２に示した実施の形態の場合に比較すると信号の反射や損失を低減させる効果が少ないものの、図６に示した従来例の場合に比較すると、プリント配線板上の信号ラインを流れる信号は、曲がり配線が少ないため特性インピーダンスの変化が小さくなり、信号の反射や損失を低減することができるようになる。
また、図６を用いて詳述した前記従来例の場合に比して、抵抗器の配置の自由度か増大するという利点もある。
【００３４】
なお、本発明は上述の実施の形態に限定されることなく種々の変形が可能であり、例えば、高速伝送路を設けた多層プリント配線板において、その内層の複数層に渡ってストリップラインを設け、そのストリップラインの一部で且つ電気的に都合の良い位置への配線の幅と同一の大きさの抵抗器を形成するようにしても良い。
【図面の簡単な説明】
【００３５】
【図１】本発明プリント配線板の実施の形態を示す要部概略平面説明図。
【図２】図１のＡ−Ａ’断面説明図。
【図３】本発明プリント配線板の他の実施の形態を示す要部概略平面説明図。
【図４】図３のＢ−Ｂ’断面説明図。
【図５】図３のＣ−Ｃ’断面説明図。
【図６】従来プリント配線板の要部概略平面説明図。
【符号の説明】
【００３６】
１００：信号送信部
２００：信号受信部
３０１〜３０３、３１１〜３１３、３１１’〜３１３’、３２１〜３２３、３３１〜３３３：ストリップライン
３０１’〜３０３’、３３１’〜３３３’：配線
４０１〜４０３、４１１、４１２、５０１〜５０３：抵抗器
５００、５１０：ソルダーレジスト
６００、６１０：第１絶縁層
８００、８１０：第２絶縁層
９００、９０１、９０２：グラウンド層
１０００：コア基材
１１１０、１１２０、１１０２、１１１２、１１２２：スルーホール
【図１】
2007035799.tif 000003
【図２】
2007035799.tif 000004
【図３】
2007035799.tif 000005
【図４】
2007035799.tif 000006
【図５】
2007035799.tif 000007
【図６】
2007035799.tif 000008